(57)【特許請求の範囲】
【請求項１】
本体ケース内に、前記本体ケースの前方を撮像するカメラを、そのチルト角度を調整可能に取り付けてなるインターホン機器であって、
前記カメラを保持するカメラホルダーを、前面にレンズを露出するレンズ孔を有し、後側に開口した箱状に形成するとともに、前記カメラホルダーの左右両側面から夫々左右外側へ回動軸を突設し、
さらに、前記カメラホルダーの上面部及び下面部の表面を、前記レンズの中心線と前記回動軸の軸線との交差点を中心とした球面とするとともに、前記カメラホルダーの左右両側面部の表面を、前記回動軸の軸線上であって、自身から遠ざかる側へ前記交差点から所定距離だけ離れた位置を中心とした外側へ膨らむ球面とする一方、
前記本体ケースに、前記カメラホルダーを後側から嵌め込み可能で、前記レンズを前記本体ケースの前側に露出させるための筒状の開口部と、前記回動軸を軸支する一対の軸支部とを設けるとともに、前記開口部の内面を、前記カメラホルダーを嵌め込んだ際に、前記カメラホルダーの上面部、下面部、及び左右両側面部の表面が当接可能な球面としたことを特徴とするインターホン機器。
【発明の詳細な説明】
【技術分野】
【０００１】
本発明は、たとえば来訪者等を撮像するためのカメラを備えたインターホン機器に関するものである。
【背景技術】
【０００２】
従来、たとえば玄関等に設置されるインターホン子機といったインターホン機器には、来訪者を撮像する等のためのカメラが備えられている。また、そのカメラを、左右方向を軸として回転するカメラホルダーに保持し、インターホン機器の設置環境等に応じて上下方向での撮像角度、すなわちチルト角度を調整可能としたものも考案されている。そして、そのようなチルト角度を調整可能なカメラを備えたインターホン機器にあっては、カメラのレンズを囲むカメラホルダーの周面部を、レンズの中心線と、カメラホルダーの回動軸線とが交差する点を中心とした球状面として形成する一方、カメラホルダーを軸支するケースに、カメラホルダーの球状面が当接可能な球状の当接面を形成し、カメラホルダーをケースに取り付けた際、球状面と当接面とが密着するように構成することで、レンズの前側に取り付けられるレンズカバー内での結露発生を防止していた（たとえば特許文献１）。
【先行技術文献】
【特許文献】
【０００３】
【特許文献１】特開２０１２−１７５６６０号公報
【発明の概要】
【発明が解決しようとする課題】
【０００４】
近年、カメラホルダーの小型化が望まれており、特に上記特許文献１に記載の構造では、左右幅（カメラホルダーの軸方向での幅）の小型化が望まれている。しかしながら、カメラホルダーの左右幅をただ単に狭くするのみでは、カメラホルダーの周面の左右両側部において球状面と当接面との間に隙間が生じてしまい、レンズカバー内で結露が発生してしまうという問題が生じる。また、左右両側部においても球状面と当接面とを当接させてしまうと、そもそもカメラホルダーを回転させることができなくなってしまう。
【０００５】
そこで、本発明は、上記問題に鑑みなされたものであって、結露発生の防止を可能としたまま、チルト角度を調整可能なカメラホルダーの小型化、特に左右幅の小型化を図ることができるインターホン機器を提供しようとするものである。
【課題を解決するための手段】
【０００６】
上記目的を達成するために、本発明のうち請求項１に記載の発明は、本体ケース内に、本体ケースの前方を撮像するカメラを、そのチルト角度を調整可能に取り付けてなるインターホン機器であって、カメラを保持するカメラホルダーを、前面にレンズを露出するレンズ孔を有し、後側に開口した箱状に形成するとともに、カメラホルダーの左右両側面から夫々左右外側へ回動軸を突設し、さらに、カメラホルダーの上面部及び下面部の表面を、レンズの中心線と回動軸の軸線との交差点を中心とした球面とするとともに、カメラホルダーの左右両側面部の表面を、回動軸の軸線上であって、自身から遠ざかる側へ交差点から所定距離だけ離れた位置を中心とした外側へ膨らむ球面とする一方、本体ケースに、カメラホルダーを後側から嵌め込み可能で、レンズを本体ケースの前側に露出させるための筒状の開口部と、回動軸を軸支する一対の軸支部とを設けるとともに、開口部の内面を、カメラホルダーを嵌め込んだ際に、カメラホルダーの上面部、下面部、及び左右両側面部の表面が当接可能な球面としたことを特徴とする。
【０００７】
請求項１に記載の発明によれば、カメラを保持するカメラホルダーを、前面にレンズを露出するレンズ孔を有し、後側に開口した箱状に形成するとともに、カメラホルダーの左右両側面から夫々左右外側へ回動軸を突設し、さらに、カメラホルダーの上面部及び下面部の表面を、レンズの中心線と回動軸の軸線との交差点を中心とした球面とするとともに、カメラホルダーの左右両側面部の表面を、回動軸の軸線上であって、自身から遠ざかる側へ交差点から所定距離だけ離れた位置を中心とした外側へ膨らむ球面とする一方、本体ケースに、カメラホルダーを後側から嵌め込み可能で、レンズを本体ケースの前側に露出させるための筒状の開口部と、回動軸を軸支する一対の軸支部とを設けるとともに、開口部の内面を、カメラホルダーを嵌め込んだ際に、カメラホルダーの上面部、下面部、及び左右両側面部の表面が当接可能な球面としているため、カメラホルダーの回動、すなわちカメラのチルト角度の調整を可能としつつ、カメラホルダーの周面と開口部の内面との密着状態を常に維持することができ、レンズの前側での結露発生を防止することができる。また、特に左右方向へのカメラホルダーの膨出を抑えることができ、カメラホルダーの小型化を図ることができる。
【発明の効果】
【０００８】
本発明によれば、カメラホルダーの回動、すなわちカメラのチルト角度の調整を可能としつつ、カメラホルダーの周面と開口部の内面との密着状態を常に維持することができ、レンズの前側での結露発生を防止することができる。また、特に左右方向へのカメラホルダーの膨出を抑えることができ、カメラホルダーの小型化を図ることができる。
【図面の簡単な説明】
【０００９】
【図１】インターホン子機を前側から示した説明図である。
【図２】インターホン子機を後側から示した斜視説明図である。
【図３】カメラホルダーが取り付けられた状態にあるインターホン子機の前ケースを前側から示した斜視説明図である。
【図４】カメラホルダーが取り付けられた状態にあるインターホン子機の前ケースを後側から示した斜視説明図である。
【図５】カメラホルダーが取り外された状態にある前ケースを後側から示した斜視説明図である。
【図６】カメラホルダーが取り外された状態にある前ケースを前側から示した斜視説明図である。
【図７】カメラホルダーの斜視説明図であり、（ａ）は前側から、（ｂ）は後側から夫々示している。
【図８】カメラホルダーの説明図であり、（ａ）は前側から、（ｂ）は右側から、（ｃ）は下側から夫々示している。
【図９】図１中のＡ−Ａ線断面におけるカメラホルダーの取付部近傍を示した説明図である。
【図１０】図１中のＢ−Ｂ線断面におけるカメラホルダーの取付部近傍を示した説明図である。
【発明を実施するための形態】
【００１０】
以下、本発明の一実施形態となるインターホン子機について、図面にもとづき詳細に説明する。
【００１１】
図１は、インターホン子機１を前側から示した説明図である。図２は、インターホン子機１を後側から示した斜視説明図である。図３は、カメラホルダー１１が取り付けられた状態にあるインターホン子機１の前ケース２を前側から示した斜視説明図である。図４は、カメラホルダー１１が取り付けられた状態にあるインターホン子機１の前ケース２を後側から示した斜視説明図である。図５は、カメラホルダー１１が取り外された状態にある前ケース２を後側から示した斜視説明図である。図６は、カメラホルダー１１が取り外された状態にある前ケース２を前側から示した斜視説明図である。図７は、カメラホルダー１１の斜視説明図であり、（ａ）は前側から、（ｂ）は後側から夫々示している。図８は、カメラホルダー１１の説明図であり、（ａ）は前側から、（ｂ）は右側から、（ｃ）は下側から夫々示している。図９は、図１中のＡ−Ａ線断面におけるカメラホルダー１１の取付部近傍を示した説明図である。図１０は、図１中のＢ−Ｂ線断面におけるカメラホルダー１１の取付部近傍を示した説明図である。
【００１２】
インターホン子機１は、前側に配置される前ケース２と、後側に配置される後ケース３とで構成される本体ケースを有している。この本体ケースの前面上部には、カメラ窓４が開設されており、該カメラ窓４内にレンズ５（図９等に示す）が露出するように、カメラが本体ケース内に設置されている。また、カメラ窓４の右側には、通話のためのマイク部６が設けられている。さらに、カメラ窓４の下側には、来訪者が居住者を呼び出す際に操作する呼出ボタン７と、通話のためのスピーカ部８とが設けられている。そして、このようなインターホン子機１は、住戸の玄関の壁面等に設置されており、来訪者によって呼出ボタン７が操作されると、住戸内に設置されているインターホン親機（図示せず）を呼び出すとともに、カメラを作動させて来訪者を撮像する。なお、９は、カメラ窓４を覆うように前ケース２に組み付けられるレンズカバーであり、１０は、前ケース２の前面に取り付けられる化粧カバーである。また、カメラにより撮像された映像は、インターホン親機に備えられているモニタに表示される。
【００１３】
そして、カメラを本体ケース内に設置するに際しては、レンズ５をカメラホルダー１１に保持させている。このカメラホルダー１１は、後側へ開口する略方体箱状に形成された合成樹脂製の部材であり、上面部１１ａ、下面部１１ｂ、及び左右両側面部１１ｃ、１１ｄの表面は、夫々後述の如き球面状に成形されている。また、カメラホルダー１１の前面部には、レンズ５を露出させるためのレンズ孔１２が開設されている。さらに、カメラホルダー１１の左右両側面部１１ｃ、１１ｄの後端縁で、レンズ孔１２の中心を通って対向する位置には、夫々左右外側へ突出する回動軸１３が設けられている。そして、前側から見て左側の回動軸１３には、カメラホルダー１１のチルト角度を調整するための操作片１４が設けられている。該操作片１４は、回動軸１３を中心とした円板状に形成されており、外周面から前側へ突出する操作爪１５と、外周面から後側へ突出する操作摘み１６とを有している。また、操作片１４の外周縁における操作爪１５の基端箇所には、複数の係止凹部が周方向へ並設されてなる角度調整部１７が設けられている。なお、１８は、カメラ基板をネジ止めするための基板固定部である。
【００１４】
また、カメラホルダー１１の上面部１１ａ及び下面部１１ｄの表面は、従来同様、レンズ５の中心線（レンズ孔１２の中心でもある）とカメラホルダー１１の回動軸線（回動軸１３の中心線）とが交差する点を中心Ｏ１とした球面となっている。具体的には、上面部１１ａの表面は半径ｒ１の球面とされ、下面部１１ｂの表面は半径ｒ２の球面とされている。一方、カメラホルダー１１の前側から見て左側の側面部１１ｃの表面は、カメラホルダー１１の回動軸線上ではあるもののレンズ５の中心線との交差点ではなく、該交差点から右側へ離れた位置（具体的には５０ｍｍ離れた位置）を中心Ｏ２とした半径ｒ３の外側へ膨らむ球面とされている。すなわち、側面部１１ｃの表面は、上面部１１ａや下面部１１ｄの表面よりも曲率の小さな球面、謂わば平面に近い球面となっており、カメラホルダー１１の左側への膨出が抑えられている。また、カメラホルダー１１の前側から見て右側の側面部１１ｄの表面は、側面部１１ｃと同様、カメラホルダー１１の回動軸線とレンズ５の中心線との交差点から、カメラホルダー１１の回動軸線に沿って左側へ離れた位置（具体的には、こちらも５０ｍｍ）を中心（図示せず）とした外側へ膨らむ球面とされ、カメラホルダー１１の右側への膨出が抑えられている。
【００１５】
一方、前ケース２の後面には、上記カメラホルダー１１を取り付けるための取付構造として、筒状の保持壁２１が設けられている。該保持壁２１は、カメラ窓４の開口縁に沿って後側へ立設されており、その内面は、カメラホルダー１１の上面部１１ａ、下面部１１ｂ、及び左右両側面部１１ｃ、１１ｄの表面が当接可能な球面とされている。したがって、保持壁２１内へカメラホルダー１１を嵌め込むと、図９及び図１０に示すように、カメラホルダー１１の上面部１１ａ、下面部１１ｂ、及び左右両側面部１１ｃ、１１ｄの表面と保持壁２１の内面とが密着した状態で、カメラホルダー１１は前ケース２の後面側に取り付けられる。また、前ケース２の後面で、カメラ窓４の左右両外側となる位置には、カメラホルダー１１の回動軸１３、１３を軸支するための軸受け部２２、２２が設けられている。また、前ケース２における左側（前側から見て）の軸受け部２２の左隣となる位置には、操作片１４の操作爪１５を前ケース２の前側へ突出させるための操作窓２３が開設されている。また、この左側の軸受け部２２には、弾性係止片２４が一体的に設けられている。この弾性係止片２４は、操作窓２３の後側へ延設された後、前側（操作窓２３内）へ延びる舌片として形成されており、左右方向（カメラホルダー１１の回動軸方向）に弾性を有している。また、弾性係止片２４の先端部における外面には、角度調整部１７に係止可能な係止突起２５が突設されている。
【００１６】
上述したようなカメラホルダー１１は、レンズ孔１２からレンズを露出させた状態でレンズ５を取り付けたり、カメラ基板１９（図９等に示す）を固定したりした後、軸受け部２２、２２に回動軸１３、１３を軸支させつつ、保持壁２１内へ嵌め込むことにより、前ケース２の後面側に取り付けられる。また、該取付状態においては、操作片１４が弾性係止片２４と対向して、係止突起２５が角度調整部１７の何れかの係止凹部に係止しており、当該係止状態が弾性係止片２４の付勢力により維持されている。さらに、操作爪１５が、操作窓２３を介して前ケース２の前面側まで突出しており、作業者が、本体ケースの前側から操作爪１５を上下方向へ操作し、弾性係止片２４の付勢力に抗しながら係止突起２５が係止している係止凹部を変更してカメラホルダー１１の取付姿勢を変更することにより、カメラのチルト角度を調整することができるようになっている。一方、操作摘み１６は、後ケース３を前ケース２の後面に組み付けた際、後ケース３に設けられた操作孔２６（図２に示す）を介して後ケース３の後面側まで突出している。したがって、作業者が、操作摘み１６を上下方向へ操作し、弾性係止片２４の付勢力に抗しながら係止突起２５が係止している係止凹部を変更することにより、本体ケースの後側からでもカメラのチルト角度を調整することができるようになっている。なお、カメラホルダー１１の周面（上面部１１ａ、下面部１１ｂ、及び左右両側面部１１ｃ、１１ｄの表面）は、上述したような球面とされているため、チルト角度をどのような角度にしたとしても、カメラホルダー１１の周面と保持壁２１の内面との密着状態は維持されることになる。
【００１７】
以上のような構成を有するインターホン子機１によれば、前面にレンズ孔１２を有し、後側に開口した箱状に形成してなるカメラホルダー１１の上面部１１ａ及び下面部１１ｄの表面を、レンズ５の中心線とカメラホルダー１１の回動軸線とが交差する点を中心Ｏ１とした球面とするとともに、カメラホルダー１１の前側から見て左側の側面部１１ｃの表面を、カメラホルダー１１の回動軸線上ではあるもののレンズ５の中心線との交差点ではなく、該交差点から右側へ離れた位置（自身から遠ざかる側へ所定距離だけ離れた位置）を中心Ｏ２とした外側へ膨らむ球面とし、さらに、カメラホルダー１１の前側から見て右側の側面部１１ｄの表面を、側面部１１ｃと同様、上記交差点から左側へ離れた位置（自身から遠ざかる側へ所定距離だけ離れた位置）を中心とした外側へ膨らむ球面とする一方、前ケース２の後面に、カメラ窓４の開口縁に沿って後側へ立設され、カメラホルダー１１を後側から嵌め込み可能な筒状の保持壁２１を設け、該保持壁２１の内面を、カメラホルダー１１の上面部１１ａ、下面部１１ｂ、及び左右両側面部１１ｃ、１１ｄの表面が当接可能な球面としている。したがって、カメラホルダー１１の回動、すなわちカメラのチルト角度の調整を可能としつつ、カメラホルダー１１の周面と保持壁２１の内面との密着状態を常に維持することができ、結露発生を防止することができる。また、特に左右方向へのカメラホルダー１１の膨出を抑えることができ、カメラホルダー１１の小型化を図ることができる。
【００１８】
また、回動軸１３から前側へ延びる操作爪１５を回動軸１３と一体的に設けるとともに、前ケース２に操作窓２３を開設し、カメラホルダー１１を取り付けた際、操作爪１５が操作窓２３を介して前ケース２の前面側へ突出するようにしている。一方、回動軸１３から一体的に後側へ延びる操作摘み１６を回動軸１３と一体的に設けるとともに、後ケース３に操作孔２６を開設し、カメラホルダー１１が取り付けられた前ケース２に後ケース３を組み付けた際、操作摘み１６が操作孔２６を介して後ケース３の後面側へ突出するようにしている。したがって、本体ケースの前後両側からカメラのチルト角度を調整することができ、非常に作業性がよい。
さらに、軸受け部２２に、左右方向へ弾性を有する弾性係止片２４を設け、該弾性係止片２４の先端部に係止突起２５を突設する一方、回動軸１３に、弾性係止片２４と対向する操作片１４を設けるとともに、操作片１４の弾性係止片２４と対向する面に、係止突起２５が係止可能な複数の係止凹部を回動軸１３の回動軸線を中心とした円周に沿って複数並設してなる角度調整部１７を設けており、弾性係止片２４の付勢力により係止突起２５と係止凹部との係止状態が維持されるとともに、その付勢力に抗しながら係止突起２５が係止する係止凹部が変更されることにより、カメラのチルト角度が調整されるようにしている。したがって、カメラのチルト角度を操作するための部材は勿論、カメラホルダー１１のチルト角度を維持する構造についてもカメラホルダー１１に一体的に備えられているため、別の専用部材を設置したりする必要がなく、構成の合理化を図ることができる。
【００１９】
なお、本発明に係るインターホン機器は、上記実施形態の態様に何ら限定されるものではなく、インターホン機器の全体的な構成は勿論、カメラホルダーやチルト角度の維持機構等に係る構成についても、本発明の趣旨を逸脱しない範囲で、必要に応じて適宜変更することができる。
【００２０】
たとえば、上記実施形態では、左側の回動軸１３に操作片１４、操作爪１５、及び操作摘み１６等といったチルト角度の調整に係る構造を集中させて設けているが、そのうちの一部を右側の回動軸１３に設ける等してもよく、どのような箇所にチルト角度の調整に係る構造を設けるかについては適宜変更可能である。
また、上記実施形態では、前ケース２側に係止突起２５を、回動軸１３側に係止凹部を夫々設けているが、前ケース２側に係止凹部を、回動軸１３側に係止突起を夫々設けることも可能であるし、回動軸１３側に弾性係止部を設けたとしても何ら問題はない。
【００２１】
さらに、カメラホルダーの上面部や下面部、左右両側面部の表面を球面とするに際し、半径をどの程度とするかや、中心をどこに設定するか等について、上記実施形態の値に何ら限定されることはない。
さらにまた、チルト角度の調整に係る構造として操作爪１５と操作摘み１６との何れか一方しか設けないように構成することも可能である。
加えて、上記実施形態では、インターホン機器の一例であるインターホン子機について説明しているが、チルト角度を調整可能なカメラを備えてさえいれば、インターホン親機等の他のインターホン機器であっても何ら問題はない。
【符号の説明】
【００２２】
１・・インターホン子機（インターホン機器）、２・・前ケース（本体ケース）、３・・後ケース（本体ケース）、４・・カメラ窓（開口部）、５・・レンズ、１１・・カメラホルダー、１１ａ・・上面部、１１ｂ・・下面部、１１ｃ、１１ｄ・・側面部、１２・・レンズ孔、１３・・回動軸、１４・・操作片、１５・・操作爪、１６・・操作摘み、１７・・角度調整部、２１・・保持壁（開口部）、２２・・軸受け部、２３・・操作窓、２４・・弾性係止片、２５・・係止突起、２６・・操作孔。
【図１】
0006412454.tif 000002
【図２】
0006412454.tif 000003
【図３】
0006412454.tif 000004
【図４】
0006412454.tif 000005
【図５】
0006412454.tif 000006
【図６】
0006412454.tif 000007
【図７】
0006412454.tif 000008
【図８】
0006412454.tif 000009
【図９】
0006412454.tif 000010
【図１０】
0006412454.tif 000011